【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、遊技により払出条件が成立したことにもとづいて景品として景品遊技媒体を払い出す遊技機であって、
遊技の進行を制御する遊技制御を実行する遊技制御手段と、
景品遊技媒体の払い出しを行う払出手段と、
前記払出手段の制御を含む払出制御を実行する払出制御手段と、
前記遊技制御手段と前記払出制御手段との間で伝送される信号の信号線を複数本まとめて接続する信号線接続手段とを備え、
前記遊技制御手段は、
前記遊技制御手段と前記払出制御手段との間の信号の通信に関する異常を検出する通信異常検出手段と、
前記払出条件の成立にもとづく払い出すべき景品遊技媒体の数を特定可能な景品遊技媒体数データを記憶する遊技制御用記憶手段と、
前記景品遊技媒体数データにもとづいて、所定数の景品遊技媒体の払出数を特定可能な払出数信号を前記払出制御手段に対して送信する払出数信号送信手段と、
前記払出数信号送信手段が払出数信号を送信したことに応じて、前記景品遊技媒体数データから払出数信号で特定される払出数に対応する値を減算する減算処理を実行する景品遊技媒体数データ減算手段とを含み、
前記払出制御手段は、
遊技機への電力が供給されたことにもとづいて払出制御を実行可能な状態となったときに接続確認信号を前記遊技制御手段に対してオン状態とする接続確認信号出力手段と、
前記払出数信号送信手段により送信された払出数信号で特定される景品遊技媒体の払出数のうち未だ払い出されていない未払出の景品遊技媒体の数を示す未払出数データを含む前記払出制御によって変動する変動データを記憶する払出制御用記憶手段と、
前記払出数信号送信手段により送信された払出数信号で特定される景品遊技媒体の払出数を前記払出制御用記憶手段に記憶された前記未払出数データに加算する未払出数データ加算手段と、
前記払出制御用記憶手段に記憶されている前記未払出数データにもとづいて、前記払出手段を制御して景品遊技媒体を払い出させる払出処理を実行する景品遊技媒体払出制御手段とを含み、
前記払出数信号と、前記接続確認信号とは、前記信号線接続手段によって接続される信号線によって伝送され、
前記通信異常検出手段は、前記接続確認信号がオフ状態となったことを通信に関する異常として検出し、
前記遊技制御手段は、前記通信異常検出手段によって通信に関する異常が検出されたときは、前記払出数信号送信手段により払出数信号を送信する処理を停止する
ことを特徴とする遊技機。
【請求項２】
遊技制御手段は、
通信異常検出手段によって通信に関する異常が検出されたことに応じて、接続確認信号の状態を監視する監視処理を実行し、
前記監視処理にて前記接続確認信号がオフ状態からオン状態に復旧したことを確認したことに応じて、払出数信号送信手段による払出数信号を送信する処理の停止を解除する
請求項１記載の遊技機。
【請求項３】
通信異常検出手段は、接続確認信号としての第１接続確認信号と、第２接続確認信号との何れかがオフ状態となったことを通信に関する異常として検出し、
信号線接続手段は、遊技制御手段と払出制御手段とに信号線を接続するための複数のピンを有するコネクタを備え、
前記コネクタが有する複数のピンは、前記第１接続確認信号の伝送に用いられるピンと前記第２接続確認信号の伝送に用いられるピンとの間に、払出数信号の伝送に用いられるピンが位置するように、伝送する各信号が割り当てられる
請求項１または請求項２記載の遊技機。
【請求項４】
通信異常検出手段が異常を検出したとき、その旨を報知する通信異常報知手段を備えた
請求項１から請求項３のうちいずれかに記載の遊技機。
【請求項５】
遊技機で用いられる電源電圧の低下を検出したときに電圧低下検出信号を出力する電源監視手段を備え、
遊技制御手段は、遊技機への電力供給が停止しても少なくとも所定期間は記憶内容を保持する遊技制御バックアップ用記憶手段を含み、
払出制御用記憶手段は、遊技機への電力供給が停止しても少なくとも所定期間は記憶内容を保持する払出制御バックアップ用記憶手段であり、
払出制御手段は、
前記電源監視手段からの電圧低下検出信号を受信したときに、前記遊技制御手段に電圧低下検出確認信号を送信する電圧低下検出確認信号送信手段と、
前記電源監視手段からの電圧低下検出信号を受信したときに、払出制御を実行する状態から払出制御の実行状態を保存するための払出制御側電力供給停止時処理を実行する払出制御側電力供給停止時処理手段とを含み、
前記遊技制御手段は、前記払出制御手段からの電圧低下検出確認信号を受信したときに、遊技制御を実行する状態から遊技制御の実行状態を保存するための遊技制御側電力供給停止時処理を実行する遊技制御側電力供給停止時処理手段を含み、
前記払出制御手段は、前記払出制御側電力供給停止時処理手段による前記払出制御側電力供給停止時処理の実行中であっても、未払出数データ加算手段によって、払出数信号で特定される景品遊技媒体の払出数を未払出数データに加算する
請求項１から請求項４のうちいずれかに記載の遊技機。
【請求項６】
遊技機で用いられる電源電圧の低下を検出したときに電圧低下検出信号を出力する電源監視手段と、
操作に応じて操作信号を出力する操作手段とを備え、
払出制御用記憶手段は、遊技機への電力供給が停止しても少なくとも所定期間は記憶内容を保持する払出制御バックアップ用記憶手段であり、
払出制御手段は、
前記電源監視手段からの電圧低下検出信号を受信したときに、前記遊技制御手段に電圧低下検出確認信号を送信する電圧低下検出確認信号送信手段と、
前記電源監視手段からの電圧低下検出信号を受信したときに、払出制御を実行する状態から払出制御の実行状態を保存するための払出制御側電力供給停止時処理を実行する払出制御側電力供給停止時処理手段と、
前記操作手段からの操作信号の入力を確認したときに、前記払出制御バックアップ用記憶手段に保持されていた記憶内容を初期化する初期化処理を実行する払出制御初期化処理手段と、
前記操作信号の入力を確認したことを示す初期化指示信号を遊技制御手段に出力する初期化指示信号出力手段とを含み、
前記遊技制御手段は、
遊技機への電力供給が停止しても少なくとも所定期間は記憶内容を保持する遊技制御バックアップ用記憶手段と、
前記払出制御手段からの電圧低下検出確認信号を受信したときに、遊技制御を実行する状態から遊技制御の実行状態を保存するための遊技制御側電力供給停止時処理を実行する遊技制御側電力供給停止時処理手段と、
前記払出制御手段からの初期化指示信号の入力を確認したときに、前記遊技制御バックアップ用記憶手段に保持されていた記憶内容を初期化する初期化処理を実行する遊技制御初期化処理手段とを含む
請求項１から請求項５のうちいずれかに記載の遊技機。
【請求項７】
遊技機への電力供給が開始したときに、起動信号をオン状態とする起動信号出力手段を備え、
払出制御手段は、前記起動信号出力手段からの起動信号がオン状態となったことに応じて、払出制御を実行するための設定を行う払出制御準備処理を行ったあと、遊技制御手段に対して起動確認信号をオン状態とし、
遊技制御手段は、前記払出制御手段からの起動確認信号がオン状態となったことにもとづいて遊技制御を実行するための設定を行う遊技制御準備処理を行ったあと、遊技制御の実行を開始する
請求項１から請求項６のうちいずれかに記載の遊技機。
【手続補正２】
【補正対象書類名】明細書
【補正対象項目名】００１２
【補正方法】変更
【補正の内容】
【００１２】
本発明による遊技機は、遊技媒体（例えばパチンコ球などの遊技球）を用いて遊技者が所定の遊技を行うことが可能であり、遊技により払出条件が成立した（例えば遊技球が入賞領域に入賞した）ことにもとづいて景品として景品遊技媒体を払い出す遊技機であって、遊技の進行を制御する遊技制御（例えばステップＳ２０〜ステップＳ３４の制御）を実行する遊技制御手段（例えばＣＰＵ５６等）と、景品遊技媒体の払い出しを行う払出手段（例えば球払出装置９７）と、払出手段の制御を含む払出制御（例えばステップＳ７５０〜Ｓ７６０の制御）を実行する払出制御手段（例えば払出制御用ＣＰＵ３７１等）と、遊技制御手段と払出制御手段との間で伝送される信号の信号線を複数本まとめて接続する信号線接続手段（例えばコネクタ６９Ａおよびコネクタ３７６Ａと備えたケーブル）とを備え、遊技制御手段は、遊技制御手段と払出制御手段との間の信号の通信に関する異常（例えば、ＣＰＵ５６の暴走、コネクタの抜け、コネクタの差し込み不良、信号線の接続不良などによって通信が正常に行われない状態）を検出する通信異常検出手段（例えば遊技制御手段におけるステップＳ２５４の処理を実行する部分）と、払出条件の成立にもとづく払い出すべき景品遊技媒体の数を特定可能な景品遊技媒体数データを記憶する遊技制御用記憶手段（例えばＲＡＭ５５）と、景品遊技媒体数データにもとづいて、所定数の景品遊技媒体の払出数を特定可能な払出数信号（例えば賞球個数信号）を払出制御手段に対して送信する払出数信号送信手段（例えば遊技制御手段におけるステップＳ２５５，ステップＳ２５６，ステップＳ２０３の処理を実行する部分）と、払出数信号送信手段が払出数信号を送信したことに応じて、景品遊技媒体数データから払出数信号で特定される払出数に対応する値を減算する減算処理（例えばステップＳ２５７）を実行する景品遊技媒体数データ減算手段（例えば遊技制御手段におけるステップＳ２５７の処理を実行する部分）とを含み、払出制御手段は、遊技機への電力が供給されたことにもとづいて払出制御を実行可能な状態となったときに接続確認信号（例えば第１接続確認信号と第２接続確認信号）を遊技制御手段に対してオン状態とする接続確認信号出力手段（例えば払出制御手段における第１接続確認信号と第２接続確認信号とをオン状態とするための処理を実行する部分）と、払出数信号送信手段により送信された払出数信号で特定される景品遊技媒体の払出数のうち未だ払い出されていない未払出の景品遊技媒体の数を示す未払出数データ（例えば賞球未払出個数カウンタが示す値）を含む払出制御によって変動する変動データを記憶する払出制御用記憶手段（例えば賞球未払出個数カウンタが設けられている領域を含む払出制御基板３７が備えるＲＡＭ）と、払出数信号送信手段により送信された払出数信号で特定される景品遊技媒体の払出数を払出制御用記憶手段に記憶された未払出数データに加算する未払出数データ加算手段（例えば払出制御手段におけるステップＳ５４４の処理を実行する部分）と、払出制御用記憶手段に記憶されている未払出数データにもとづいて、払出手段を制御して景品遊技媒体を払い出させる払出処理を実行する景品遊技媒体払出制御手段（例えば払出制御手段におけるステップＳ７５６の処理を実行する部分）とを含み、払出数信号と、接続確認信号とは、信号線接続手段によって接続される信号線によって伝送され、通信異常検出手段は、接続確認信号がオフ状態となったこと（例えばステップＳ２５４のＹ）を通信に関する異常として検出し、遊技制御手段は、通信異常検出手段によって通信に関する異常が検出されたときは、払出数信号送信手段により払出数信号を送信する処理を停止する（例えば、賞球制御処理（ステップＳ２０２）を実行しない払出制御信号送信禁止状態とする）ことを特徴とする。
【手続補正３】
【補正対象書類名】明細書
【補正対象項目名】００１６
【補正方法】変更
【補正の内容】
【００１６】
遊技機で用いられる電源電圧の低下を検出したときに電圧低下検出信号（例えば電源断信号）を出力する電源監視手段（例えば電源監視回路９２０）を備え、遊技制御手段は、遊技機への電力供給が停止しても少なくとも所定期間は記憶内容を保持する遊技制御バックアップ用記憶手段（例えばＲＡＭ５５の電源バックアップされた領域）を含み、払出制御用記憶手段は、遊技機への電力供給が停止しても少なくとも所定期間は記憶内容を保持する払出制御バックアップ用記憶手段（例えば払出制御基板３７が備える電源バックアップされたＲＡＭ）であり、払出制御手段は、電源監視手段からの電圧低下検出信号を受信したときに、遊技制御手段に電圧低下検出確認信号（例えば電源断確認信号）を送信する電圧低下検出確認信号送信手段（例えば払出制御手段におけるステップＳ９０５を実行する部分）と、電源監視手段からの電圧低下検出信号を受信したときに、払出制御を実行する状態から払出制御の実行状態を保存するための払出制御側電力供給停止時処理（例えばステップＳ９０６〜Ｓ９３１）を実行する払出制御側電力供給停止時処理手段（例えば払出制御手段におけるステップＳ９０６〜Ｓ９３１を実行する部分）とを含み、遊技制御手段は、払出制御手段からの電圧低下検出確認信号を受信したときに（例えばステップＳ４５０）、遊技制御を実行する状態から遊技制御の実行状態を保存するための遊技制御側電力供給停止時処理（例えばステップＳ４５４〜Ｓ４８１）を実行する遊技制御側電力供給停止時処理手段（例えば遊技制御手段におけるステップＳ４５４〜Ｓ４８１を実行する部分）を含み、払出制御手段は、払出制御側電力供給停止時処理手段による払出制御側電力供給停止時処理の実行中であっても、未払出数データ加算手段によって、払出数信号で特定される景品遊技媒体の払出数を未払出数データに加算する（例えばステップＳ９０６〜Ｓ９１０）構成とされていてもよい。
【手続補正４】
【補正対象書類名】明細書
【補正対象項目名】００１９
【補正方法】変更
【補正の内容】
【００１９】
請求項１記載の発明によれば、遊技制御手段は、遊技制御手段と払出制御手段との間の信号の通信に関する異常を検出する通信異常検出手段と、払出条件の成立にもとづく払い出すべき景品遊技媒体の数を特定可能な景品遊技媒体数データを記憶する遊技制御用記憶手段と、景品遊技媒体数データにもとづいて、所定数の景品遊技媒体の払出数を特定可能な払出数信号を払出制御手段に対して送信する払出数信号送信手段と、払出数信号送信手段が払出数信号を送信したことに応じて、景品遊技媒体数データから払出数信号で特定される払出数に対応する値を減算する減算処理を実行する景品遊技媒体数データ減算手段とを含み、払出制御手段は、遊技機への電力が供給されたことにもとづいて払出制御を実行可能な状態となったときに接続確認信号を遊技制御手段に対してオン状態とする接続確認信号出力手段と、払出数信号送信手段により送信された払出数信号で特定される景品遊技媒体の払出数のうち未だ払い出されていない未払出の景品遊技媒体の数を示す未払出数データを含む払出制御によって変動する変動データを記憶する払出制御用記憶手段と、払出数信号送信手段により送信された払出数信号で特定される景品遊技媒体の払出数を払出制御用記憶手段に記憶された未払出数データに加算する未払出数データ加算手段と、払出制御用記憶手段に記憶されている未払出数データにもとづいて、払出手段を制御して景品遊技媒体を払い出させる払出処理を実行する景品遊技媒体払出制御手段とを含み、払出数信号と、接続確認信号とは、信号線接続手段によって接続される信号線によって伝送され、通信異常検出手段は、接続確認信号がオフ状態となったことを通信に関する異常として検出し、遊技制御手段は、通信異常検出手段によって通信に関する異常が検出されたときは、払出数信号送信手段により払出数信号を送信する処理を停止することを特徴とすることを特徴とするので、入賞が発生したときに景品遊技媒体の付与を迅速に行うことができるとともに、通信に関する異常が生じていないときに限って払出数信号を送信する構成としているので、払出数信号により特定される景品遊技媒体数を払出制御手段が誤認識してしまうことを防止することができ、遊技制御手段と払出制御手段との未払出の景品遊技媒体数の認識が相違してしまうことを低コストで防止することができる。
【手続補正５】
【補正対象書類名】明細書
【補正対象項目名】００２３
【補正方法】変更
【補正の内容】
【００２３】
請求項５記載の発明では、払出制御手段が、払出制御側電力供給停止時処理手段による払出制御側電力供給停止時処理の実行中であっても、未払出数データ加算手段によって、払出数信号で特定される景品遊技媒体の払出数を未払出数データに加算する構成とされているので、バックアップ機能を簡素なハード構成で実現することができるとともに、払出数信号の取りこぼしによる遊技者の不利益を防止することができる。